(57)【要約】【課題】改修工事時に旧かご操作盤を撤去し更新かご操作盤を取付ける操作盤取付板に対して多様な造形的表現ができるエレベーターのかご室を得る。【解決手段】旧かご操作盤を更新かご操作盤１２に取り替えるために壁板６に操作盤取付板１５を付加する。そして、操作盤取付板１５に更新かご操作盤１２を装着し、また操作盤取付板１２には壁板６の表面位置からかご室内側へ突出して形成された突出部１６を設ける。これにより、操作盤取付板１２における造形的表現を多様化することができて見栄えを向上する。また、突出部１６を形成することにより操作盤取付板１６の強度を増すことができ、操作盤取付板１６の取付を簡易化してかご室の製作費を節減する。【選択図】　　　　図２
2004067334.tif 000002
【特許請求の範囲】
【請求項１】
かご室の周壁の要部を形成し、旧かご操作盤用の旧取付孔が設けられた壁板と、この壁板の上記旧かご操作盤位置に対応した位置に配置される更新かご操作盤と、上記壁板の上記旧取付孔を覆って配置されて上記壁板の表面位置から上記かご室内側へ突出した突出部が形成され、上記旧取付孔よりも小さい上記更新かご操作盤用の新取付孔が設けられた操作盤取付板とを備えたエレベーターのかご室。
【請求項２】
操作盤取付板を、横断面において壁板の表面位置からかご室内側へ突出した傾斜姿勢に配置されて突出部を形成したものとしたことを特徴とする請求項１記載のエレベーターのかご室。
【請求項３】
操作盤取付板を壁板に締結した締結具の頭部を覆って装着された目地材を備えたことを特徴とする請求項１及び請求項２のいずれか一つに記載のエレベーターのかご室。
【請求項４】
更新かご操作盤を、軟質材からなる表板及び複数個のケース体が相互にピンを介して枢着されて上記表板の裏面に設けられたケースからなり操作盤取付板の湾曲面に沿う形状に変形するものとしたことを特徴とする請求項１〜請求項３のいずれか一つに記載のエレベーターのかご室。
【請求項５】
操作盤取付板を、上下方向における中間部が凹状に湾曲して形成されて上下端に突出部を形成したものとしたことを特徴とする請求項４記載のエレベーターのかご室。
【請求項６】
操作盤取付板を、横断面において壁板の表面位置からかご室内側へ突出した傾斜姿勢に配置されて突出部を形成し、かつ横断面において凸状に湾曲した形状に製作されたものとしたことを特徴とする請求項４記載のエレベーターのかご室。
【請求項７】
操作盤取付板を、横断面において壁板の表面位置からかご室内側へ突出した傾斜姿勢に配置されて突出部を形成し、かつ横断面において凹状に湾曲した形状に製作されたものとしたことを特徴とする請求項４記載のエレベーターのかご室。
【発明の詳細な説明】
【０００１】
【発明の属する技術分野】
この発明は、エレベーターの改修工事時に旧かご操作盤を撤去し、旧かご操作盤対応位置に更新かご操作盤を取付けるエレベーターのかご室に関する。
【０００２】
【従来の技術】
図３１及び図３２は、従来のエレベーターのかご室を示す図で、図３１はかご室内の要部斜視図、図３２は図３１の要部横断面平面図である。図において、１はかご床、２はかご床１の周縁部に設けられた幅木、３は幅木２から立設された周壁、４はかご室の出入口を開閉する戸、５は出入口の縁部を形成した出入口柱、６は周壁３の要部を形成し出入口柱５に隣接して設けられた袖壁からなる壁板である。
【０００３】
７は旧かご操作盤（図示しない）用の旧取付孔で、壁板６に設けられて縁部がかご室外方に屈折されている。８は周壁３相互を締結したボルトからなる締結具、９は旧取付孔７を覆って配置された操作盤取付板、１０は旧取付孔７よりも小さい新取付孔で、操作盤取付板９に設けられて縁部が旧取付孔７内においてかご室外方に屈折されている。
【０００４】
１１は締結具で、操作盤取付板９の縁部裏面から立設されて壁板６に挿通された棒ねじ及び棒ねじの挿通端にねじ込まれたナットによって構成されている。１２はケースが新取付孔１０に嵌合された更新かご操作盤、１３は更新かご操作盤１２のケース側板にケース内から挿通されて新取付孔１０の屈折縁部にねじ込まれたボルトからなる締結具である。また、１４は周壁３の上端を覆って設けられた天井である。
【０００５】
従来のエレベーターのかご室は上記のように、旧かご操作盤を更新かご操作盤１２に取り替えるために壁板６に操作盤取付板９が付加されて旧取付孔７を覆い、操作盤取付板９に更新かご操作盤１２が装着される。なお、更新かご操作盤１２は集積回路等の基礎的な部品の進化によって旧かご操作盤よりも小形化されている。このため、旧取付孔７を操作盤取付板９によって一旦塞ぎ、操作盤取付板９の新取付孔１０に更新かご操作盤１２が装着される。
【０００６】
【発明が解決しようとする課題】
上記のような従来のエレベーターのかご室では、平たい操作盤取付板９が設けられるので、造形的な表現の余地が乏しく平凡な見栄えになるという問題点があった。
【０００７】
この発明は、かかる問題点を解消するためになされたものであり、操作盤取付板において多様な造形的表現ができるエレベーターのかご室を得ることを目的とする。
【０００８】
【課題を解決するための手段】
この発明に係るエレベーターのかご室においては、かご室の周壁の要部を形成し、旧かご操作盤用の旧取付孔が設けられた壁板と、この壁板の旧かご操作盤位置に対応した位置に配置される更新かご操作盤と、壁板の旧取付孔を覆って配置されて壁板の表面位置からかご室内側へ突出した突出部が形成され、旧取付孔よりも小さい更新かご操作盤用の新取付孔が設けられた操作盤取付板とが設けられる。
【０００９】
また、この発明に係るエレベーターのかご室においては、横断面において壁板の表面位置からかご室内側へ突出した傾斜姿勢に配置されて突出部を形成した操作盤取付板が設けられる。
【００１０】
また、この発明に係るエレベーターのかご室においては、操作盤取付板を壁板に締結した締結具の頭部を覆って装着された目地材が設けられる。
【００１１】
また、この発明に係るエレベーターのかご室においては、軟質材からなる表板及び複数個のケース体が相互にピンを介して枢着されて表板の裏面に設けられたケースからなり操作盤取付板の湾曲面に沿う形状に変形する更新かご操作盤が設けられる。
【００１２】
また、この発明に係るエレベーターのかご室においては、上下方向における中間部が凹状に湾曲して形成されて上下端に突出部を形成した操作盤取付板が設けられる。
【００１３】
また、この発明に係るエレベーターのかご室においては、横断面において壁板の表面位置からかご室内側へ突出した傾斜姿勢に配置されて突出部を形成すると共に、横断面において凸状に湾曲した形状に製作された操作盤取付板が設けられる。
【００１４】
また、この発明に係るエレベーターのかご室においては、横断面において壁板の表面位置からかご室内側へ突出した傾斜姿勢に配置されて突出部を形成すると共に、横断面において凹状に湾曲した形状に製作された操作盤取付板が設けられる。
【００１５】
【発明の実施の形態】
実施の形態１．
図１及び図２は、この発明の実施の形態の一例を示す図で、図１はかご室内の要部斜視図、図２は図１の要部横断面平面図である。図において、１はかご床、２はかご床１の周縁部に設けられた幅木、３は幅木２から立設された周壁、４はかご室の出入口を開閉する戸、５は出入口の縁部を形成した出入口柱、６は周壁３の要部を形成し出入口柱５に隣接して設けられた袖壁からなる壁板である。
【００１６】
７は旧かご操作盤（図示しない）用の旧取付孔で、壁板６に設けられて縁部がかご室外方に屈折されている。８は周壁３相互を締結したボルトからなる締結具、１５は旧取付孔７を覆って設けられた操作盤取付板で、幅方向の両縁部にそれぞれ設けられて幅方向の両縁部がかご室内側へ屈折され、この屈折部がさらに幅方向の中心寄りに屈折されてなり壁板６の表面位置からかご室内側へ突出して形成された突出部１６が形成されている。
【００１７】
１０は旧取付孔７よりも小さい新取付孔で、操作盤取付板１５に設けられて縁部が旧取付孔７内においてかご室外方に屈折されている。１１は締結具で、操作盤取付板１５の縁部裏面から立設されて壁板６に挿通された棒ねじ及び棒ねじの挿通端にねじ込まれたナットによって構成されている。１２はケースが新取付孔１０に嵌合された更新かご操作盤、１３は更新かご操作盤１２のケース側板にケース内から挿通されて新取付孔１０の屈折縁部にねじ込まれたボルトからなる締結具である。また、１４は周壁３の上端を覆って設けられた天井である。
【００１８】
上記のように構成されたエレベーターのかご室において、旧かご操作盤を更新かご操作盤１２に取り替えるために壁板６に操作盤取付板１５が付加されて旧取付孔７を覆い、操作盤取付板１５に更新かご操作盤１２が装着される。なお、更新かご操作盤１２は集積回路等の基礎的な部品の進化によって旧かご操作盤よりも小形化されている。このため、旧取付孔７を操作盤取付板１５によって一旦塞ぎ、操作盤取付板１５の新取付孔１０に更新かご操作盤１２が装着される。
【００１９】
そして、操作盤取付板１５の幅方向の両縁部には、操作盤取付板１５が屈折されて形成されて、上下方向にわたって壁板６の表面位置からかご室内側へ突出した突出部１６が設けられる。これにより、操作盤取付板１５における造形的表現を多様化することができて見栄えを向上することができる。
【００２０】
また、突出部１６が操作盤取付板１５の縁部が屈折されて形成されるので、操作盤取付板１５の強度が増し、また壁板６に操作盤取付板１５を締結する締結具１１の数を少なくすることができて、操作盤取付板１５の製作費、また装着の手数を節減することができる。
【００２１】
実施の形態２．
図３は、この発明の他の実施の形態の一例を示す図で、前述の図２相当図である。なお、図３の他は前述の図１及び図２と同様にエレベーターのかご室が構成されている。図において、図２と同符号は相当部分を示し、１７は旧取付孔７を覆って設けられた操作盤取付板で、幅方向の両縁部にそれぞれ設けられて幅方向の縁部がかご室内側へ屈折され、この屈折部がさらに幅方向の外側に屈折され、その屈折部が壁板６の表面方向に屈折されてなり、壁板６の表面位置からかご室内側へ突出して形成された突出部１８が形成されている。
【００２２】
上記のように構成されたエレベーターのかご室においても、壁板６の表面位置からかご室内側へ突出した突出部１８を有する操作盤取付板１７が旧取付孔７を塞いで設けられる。そして、操作盤取付板１７に更新かご操作盤１２が装着される。したがって、詳細な説明を省略するが図３の実施の形態においても図１及び図２の実施の形態と同様な作用が得られる。
【００２３】
また、壁板６の高さに一致した高さの操作盤取付板１７を設けることによって、操作盤取付板１７の上下方向の端面がかご室内の乗客の目に触れることがない。したがって、操作盤取付板１７の上下方向の端面に装着される塞ぎ板を省略することができて操作盤取付板１７の製作費を低減することができる。
【００２４】
実施の形態３．
図４も、この発明の他の実施の形態の一例を示す図で、前述の図２相当図である。なお、図４の他は前述の図１及び図２と同様にエレベーターのかご室が構成されている。図において、図２と同符号は相当部分を示し、１９は旧取付孔７を覆って設けられた操作盤取付板で、幅方向の両縁部にそれぞれ設けられて幅方向の縁部が壁板６の表面方向に屈折されてなり、壁板６の表面位置からかご室内側へ突出して形成された突出部２０が形成されている。２１は締結具１１の棒ねじに嵌合されて壁板６の表面と操作盤取付板１９の裏面の間に配置された間隔片である。
【００２５】
上記のように構成されたエレベーターのかご室においても、壁板６の表面位置からかご室内側へ突出した突出部２０を有する操作盤取付板１９が旧取付孔７を塞いで設けられる。そして、操作盤取付板１９に更新かご操作盤１２が装着される。したがって、詳細な説明を省略するが図４の実施の形態においても図１及び図２の実施の形態と同様な作用が得られる。
【００２６】
また、図４に示すように出入口柱５の壁板６からの突出高さに対して、突出部２０の突出高さを同じ位置に配置される。これによって、造形的に重厚感のある操作盤取付板１９を実現することができる。
【００２７】
実施の形態４．
図５も、この発明の他の実施の形態の一例を示す図で、前述の図２相当図である。なお、図５の他は前述の図１及び図２と同様にエレベーターのかご室が構成されている。図において、図２と同符号は相当部分を示し、２２は旧取付孔７を覆って設けられた操作盤取付板で、幅方向の両縁部にそれぞれ設けられて幅方向の縁部が、横断面において壁板６の表面位置からかご室内側へ半円形に突出して形成された突出部２３が形成されている。
【００２８】
上記のように構成されたエレベーターのかご室においても、壁板６の表面位置からかご室内側へ突出した突出部２３を有する操作盤取付板２２が旧取付孔７を塞いで設けられる。そして、操作盤取付板２２に更新かご操作盤１２が装着される。したがって、詳細な説明を省略するが図５の実施の形態においても図１及び図２の実施の形態と同様な作用が得られる。
【００２９】
また、図５に示すように操作盤取付板２２の幅方向縁部に横断面において半円形に突出した突出部２３が形成される。これによって、造形的表現として丸みのある柔らかな操作盤取付板２２を実現することができる。
【００３０】
実施の形態５．
図６も、この発明の他の実施の形態の一例を示す図で、前述の図２相当図である。なお、図６の他は前述の図１及び図２と同様にエレベーターのかご室が構成されている。図において、図４と同符号は相当部分を示し、２４は旧取付孔７を覆って設けられた操作盤取付板で、幅方向の両縁部にそれぞれ設けられて幅方向の縁部に、横断面において壁板６の表面位置からかご室内側へ丸みを形成して突出した突出部２５が設けられている。
【００３１】
上記のように構成されたエレベーターのかご室においても、壁板６の表面位置からかご室内側へ突出した突出部２５を有する操作盤取付板２４が旧取付孔７を塞いで設けられる。そして、操作盤取付板２４に更新かご操作盤１２が装着される。したがって、詳細な説明を省略するが図６の実施の形態においても図４の実施の形態と同様な作用が得られる。
【００３２】
また、図６に示すように操作盤取付板２４の幅方向縁部に横断面において丸みを形成して突出した突出部２５が設けられる。これによって、造形的表現として丸みのある柔らかな操作盤取付板２４を実現することができる。
【００３３】
実施の形態６．
図７も、この発明の他の実施の形態の一例を示す図で、前述の図２相当図である。なお、図７の他は前述の図１及び図２と同様にエレベーターのかご室が構成されている。図において、図２と同符号は相当部分を示し、２６は旧取付孔７を覆って設けられた操作盤取付板で、幅方向の出入口柱５側の縁部に前述の図２に示す突出部１６が設けられ、反出入口柱５側は横断面において壁板６の表面位置からかご室内側へ突出して形成されて、傾斜姿勢に配置されている。
【００３４】
２７は操作盤取付板２６の反出入口柱５側の屈折部を周壁３に締結したボルトからなる締結具、２８は操作盤取付板２６の反出入口柱５側と壁板６との間に形成されたダクトスペースである。
【００３５】
上記のように構成されたエレベーターのかご室においても、壁板６の表面位置からかご室内側へ突出した突出部１６が設けられると共に、横断面において傾斜姿勢に配置されてかご室内側へ突出した突出部を構成した操作盤取付板２６が旧取付孔７を塞いで設けられる。そして、操作盤取付板２６に更新かご操作盤１２が装着される。したがって、詳細な説明を省略するが図７の実施の形態においても図１及び図２の実施の形態と同様な作用が得られる。
【００３６】
また、図７に示すように操作盤取付板２６が横断面において傾斜姿勢に配置されてかご室内側へ突出して配置されるので、更新かご操作盤１２を操作する乗客の操作性を向上することができる。また、操作盤取付板２６の反出入口柱５側の裏面にダクトスペース２８が形成されるので、更新かご操作盤１２等の配線を容易化することができる。
【００３７】
また、壁板６の高さに一致した高さの操作盤取付板２６を設けることによって、操作盤取付板２６の上下方向の端面がかご室内の乗客の目に触れることがない。したがって、操作盤取付板２６の上下方向の端面に装着される塞ぎ板を省略することができ操作盤取付板２６の製作費を低減することができる。
【００３８】
実施の形態７．
図８も、この発明の他の実施の形態の一例を示す図で、前述の図７相当図である。なお、図８の他は前述の図１及び図２と同様にエレベーターのかご室が構成されている。図において、図７と同符号は相当部分を示し、２９は旧取付孔７を覆って設けられた操作盤取付板で、幅方向の両側の縁部にそれぞれ前述の図３に示す突出部１８が設けられ、反出入口柱５側は横断面において壁板６の表面位置からかご室内側へ突出して形成されて傾斜姿勢に配置されている。
【００３９】
上記のように構成されたエレベーターのかご室においても、壁板６の表面位置からかご室内側へ突出した突出部１８が設けられると共に、横断面において傾斜姿勢に配置されてかご室内側へ突出した突出部を構成した操作盤取付板２９が旧取付孔７を塞いで設けられる。また、操作盤取付板２９の反出入口柱５側の裏面にダクトスペース２８が形成される。そして、操作盤取付板２９に更新かご操作盤１２が装着される。
【００４０】
したがって、詳細な説明を省略するが図８の実施の形態においても図７の実施の形態と同様な作用が得られる。
また、操作盤取付板２９の幅方向の両縁部にそれぞれ突出部１８が設けられる。このため、造形的表現として一層重厚感のある操作盤取付板１９を実現することができる。
【００４１】
実施の形態８．
図９も、この発明の他の実施の形態の一例を示す図で、前述の図８相当図である。なお、図９の他は前述の図１及び図２と同様にエレベーターのかご室が構成されている。図において、図５、図６、図８と同符号は相当部分を示し、３０は旧取付孔７を覆って設けられた操作盤取付板で、幅方向の一側の縁部に突出部２３が、また他側の縁部に突出部２５が設けられ、反出入口柱５側は横断面において壁板６の表面位置からかご室内側へ突出して形成されて傾斜姿勢に配置されている。
【００４２】
上記のように構成されたエレベーターのかご室においても、壁板６の表面位置からかご室内側へ突出した突出部２３、突出部２５が設けられると共に、横断面において傾斜姿勢に配置されてかご室内側へ突出した突出部を構成した操作盤取付板３０が旧取付孔７を塞いで設けられる。
【００４３】
また、操作盤取付板３０の反出入口柱５側の裏面にダクトスペース２８が形成される。そして、操作盤取付板３０に更新かご操作盤１２が装着される。
したがって、詳細な説明を省略するが図９の実施の形態において、図５、図６、図８の実施の形態の作用を総合した作用に匹敵した作用が得られる。
【００４４】
実施の形態９．
図１０及び図１１も、この発明の他の実施の形態の一例を示す図で、図１０は前述の図４相当図、図１１は図１０の要部拡大図である。なお、図１０及び図１１の他は前述の図１及び図２と同様にエレベーターのかご室が構成されている。
図において、図４と同符号は相当部分を示し、３１は旧取付孔７を覆って配置された操作盤取付板であり、幅方向の両側の縁部にそれぞれ突出部２０が設けられ、突出部２０の操作盤取付板３１における幅方向の外側に溝３２が形成されている。
【００４５】
３３は操作盤取付板３１の溝３２の底面に挿通されて壁板６にねじ込まれたＰなべねじからなる締結具、３４は軟質の目地材で溝３２に嵌合され、かつ幅方向の縁部が溝３２の側壁の開口端寄りに設けられた嵌合溝３５に嵌合され、締結具３３の頭部を覆って装着されている。
【００４６】
上記のように構成されたエレベーターのかご室においても、壁板６の表面位置からかご室内側へ突出した突出部２０を有する操作盤取付板３１が旧取付孔７を塞いで設けられる。そして、操作盤取付板３１に更新かご操作盤１２が装着される。したがって、詳細な説明を省略するが図１０及び図１１の実施の形態においても図１及び図２の実施の形態と同様な作用が得られる。
【００４７】
また、操作盤取付板３１が溝３２の底面に挿通された締結具３３によって壁板６に締結される。このため、操作盤取付板３１の取付が容易にでき改修工事の能率を向上することができる。
【００４８】
実施の形態１０．
図１２及び図１３も、この発明の他の実施の形態の一例を示す図で、図１２は前述の図４相当図、図１３は図１２の要部拡大図である。なお、図１２及び図１３の他は前述の図１及び図２と同様にエレベーターのかご室が構成されている。
図において、図４と同符号は相当部分を示し、３６は旧取付孔７を覆って配置された操作盤取付板で、幅方向の両側の縁部にそれぞれ突出部２０が設けられ、突出部２０の壁板６側の縁部が操作盤取付板３６における幅方向の外側に屈折されてフランジ３７が形成されている。
【００４９】
３３は操作盤取付板３６のフランジ３７に挿通されて壁板６にねじ込まれたＰなべねじからなる締結具、３８は溝形の目地棒からなる目地材で、フランジ３７の長手に沿って設けられて締結具３３の頭部を覆って配置されている。３９は操作盤取付板３６の突出部２０側面に内側から挿通されて目地材３８にねじ込まれたＰなべねじで、目地材３８を操作盤取付板３６に締結する。
【００５０】
上記のように構成されたエレベーターのかご室においても、壁板６の表面位置からかご室内側へ突出した突出部２０を有する操作盤取付板３６が旧取付孔７を塞いで設けられる。そして、操作盤取付板３６に更新かご操作盤１２が装着される。したがって、詳細な説明を省略するが図１２及び図１３の実施の形態においても図１及び図２の実施の形態、また図１０及び図１１の実施の形態と同様な作用が得られる。
【００５１】
実施の形態１１．
図１４〜図１６も、この発明の他の実施の形態の一例を示す図で、図１４は前述の図２相当図、図１５は図１４の要部拡大図、図１６は図１５の部材を分解して示す図である。なお、図１４〜図１６の他は前述の図１及び図２と同様にエレベーターのかご室が構成されている。図において、図２と同符号は相当部分を示し、４０は旧取付孔７を覆って設けられた操作盤取付板である。
【００５２】
４１は操作盤取付板４０の幅方向の両側の縁部にそれぞれ装着される突出部で、横断面溝形をなし一側の側壁が内側に屈折されてフランジ４２が形成され、またフランジ４２の長手に互いに離れて配置されてフランジ４２縁部に開口した溝穴４３が設けられている。４４は操作盤取付板４０に挿通されて壁板６にねじ込まれたＰなべねじからなる締結具で、溝穴４３に対応した外径に形成された間隔片４５が頭部寄りに嵌合されている。
【００５３】
上記のように構成されたエレベーターのかご室において、操作盤取付板４０が旧取付孔７を塞いで配置されて締結具４４によって壁板６に締結される。そして、操作盤取付板４０に更新かご操作盤１２が装着される。また、突出部４１が操作盤取付板４０の幅方向の縁部に重合され、溝穴４３が締結具４４位置に合わせて配置される。
【００５４】
この状態で、突出部４１を長手に直交した方向に変位することによって間隔片４５が溝穴４３に嵌着し、操作盤取付板４０に突出部４１が装着される。
これによって、操作盤取付板４０に突出部４１が形成されるので、詳細な説明を省略するが図１４〜図１６の実施の形態においても図１及び図２の実施の形態、また図３の実施の形態と同様な作用が得られる。
【００５５】
実施の形態１２．
図１７〜図１９も、この発明の他の実施の形態の一例を示す図で、図１７は前述の図１４相当図、図１８は図１７の要部拡大図、図１９は図１７の部材を分解して示す図である。なお、図１７〜図１９の他は前述の図１及び図２と同様にエレベーターのかご室が構成されている。図において、図１４と同符号は相当部分を示し、４６は操作盤取付板４０の幅方向の両側の縁部にそれぞれ装着される突出部で、横断面溝形をなし両側の側壁の開口端側がそれぞれ内側に屈折されて相互間に空隙４７が形成されている。
【００５６】
上記のように構成されたエレベーターのかご室において、操作盤取付板４０が旧取付孔７を塞いで配置されて締結具４４によって壁板６に締結される。そして、操作盤取付板４０に更新かご操作盤１２が装着される。また、突出部４６が操作盤取付板４０の幅方向の縁部に重合され、空隙４７が締結具４４頭部位置に合わせて配置される。
【００５７】
この状態で、突出部４６を操作盤取付板４０に押しつけると、突出部４６が弾性変形して間隙片４５を装着した締結具４４頭部に生じた隙間に突出部４６の空隙４７が嵌着し、操作盤取付板４０に突出部４１が装着される。
これによって、操作盤取付板４０に突出部４６が形成されるので、詳細な説明を省略するが図１７〜図１９の実施の形態においても図１及び図２の実施の形態、また図３の実施の形態と同様な作用が得られる。
【００５８】
実施の形態１３．
図２０及び図２１も、この発明の他の実施の形態の一例を示す図で、図２０は前述の図７相当図、図２１は図２０の要部拡大図である。なお、図２０及び図２１の他は前述の図１及び図２と同様にエレベーターのかご室が構成されている。
図において、前述の図２、図５、図１０と同符号は相当部分を示す。
【００５９】
４８は操作盤取付板で、前述の図７の操作盤取付板２６に前述の図５の突出部２３を形成し、かつ幅方向の両側に前述の図１１の溝３２、目地材３４の構成を設けたものである。
【００６０】
上記のように構成されたエレベーターのかご室においても、壁板６の表面位置からかご室内側へ突出した突出部２３を有する操作盤取付板４８が旧取付孔７を塞いで設けられる。そして、操作盤取付板４８に更新かご操作盤１２が装着される。したがって、詳細な説明を省略するが図２０及び図２１の実施の形態においても図１及び図２の実施の形態、図１０及び図１１の実施の形態と同様な作用が得られる。
【００６１】
実施の形態１４．
図２２〜図２８も、この発明の他の実施の形態の一例を示す図で、図２２はかご室内の要部斜視図、図２３は図２２のかご室に設けられた更新かご操作盤の正面図、図２４は図２３の平面図、図２５は図２３の側面図、図２６は図２３の更新かご操作盤の操作盤取付板への装着状況を示す図で前述の２５相当図、図２７は図２６の平面図であり更新かご操作盤が横断面において凹状に湾曲した状態を示す図、図２８も図２６の平面図であり更新かご操作盤が横断面において凸状に湾曲した状態を示す図である。
【００６２】
図において、前述の図１及び図２と同符号は相当部分を示し、４９は操作盤取付板で、上下方向における中間部が凹状に湾曲して形成されて上下端に突出部４９１を形成し、旧取付孔７を覆って設けられ前述の操作盤取付板１５と同様に締結具１１によって壁板６に装着されている。
【００６３】
５０は操作盤取付板４９に装着される更新かご操作盤で、表板５１が軟質材によって製作され、表板５１の裏面に設けられるケース５２は四個のケース体５３が相互にピン５４によって枢着されて形成される。５５は一側が表板５１裏面に固定され、他側はケース５２内の側面に沿って配置されて長穴５６が設けられた取付金具である。
【００６４】
５７はケース５２内の側面及び長穴５６に挿通されたボルト並びにこのボルトの挿通端にねじ込まれたナットからなる締結具、５８は表板５１裏面とケース５２との間に生じる隙間である。そして、更新かご操作盤５０は図２６に示すように操作盤取付板１５の湾曲面に沿う形状に変形する。
【００６５】
上記のように構成されたエレベーターのかご室において、壁板６の表面位置からかご室内側へ突出した突出部４９１を有する操作盤取付板４９が旧取付孔７を塞いで設けられる。そして、操作盤取付板４９に更新かご操作盤５０が装着される。したがって、詳細な説明を省略するが図２２〜図２８の実施の形態においても図１及び図２の実施の形態と同様な作用が得られる。
【００６６】
なお、更新かご操作盤５０が図２６に示すように操作盤取付板１５の湾曲面に沿う形状に変形した場合に、図２７に示すように更新かご操作盤５０が横断面において凹状に湾曲したときにはケース５２の側面に隙間５８が発生するが、取付金具５５とケース５２内の側面との間にゴムシート等の閉塞板が挿入されて隙間５８が塞がれる。
【００６７】
また、更新かご操作盤５０が図２６に示すように操作盤取付板１５の湾曲面に沿う形状に変形した場合に、図２８に示すように更新かご操作盤５０が横断面において凸状に湾曲したときにはケース５２の上下方向の端面に隙間５８が発生するが、ケース５２の上下方向の端面にゴムシート等の閉塞板が挿入されて隙間５８が塞がれる。また、表板５１が軟質材によって製作された更新かご操作盤５０は、操作盤取付板４９の表板５１よりも複雑な曲面によって構成された操作盤取付板に対してでも容易に装着することができる。
【００６８】
実施の形態１５．
図２９も、この発明の他の実施の形態の一例を示す図で、前述の図７相当図である。なお、図２９の他は前述の図１及び図２と同様にエレベーターのかご室が構成されている。図において、図７と同符号は相当部分を示し、５９は旧取付孔７を覆って設けられた操作盤取付板である。
【００６９】
そして、操作盤取付板５９は幅方向の出入口柱５側の縁部が締結具２７によって壁板６に締結され、反出入口柱５側は横断面において壁板６の表面位置からかご室内側へ突出した傾斜姿勢に配置されて突出部を形成し、かつ横断面において凸状に湾曲した形状に製作されて反出入口柱５側の屈折部が周壁３に締結具２７によって締結されている。
【００７０】
上記のように構成されたエレベーターのかご室においても、横断面において傾斜姿勢に配置されて壁板６の表面位置からかご室内側へ突出した突出部を構成した操作盤取付板５９が旧取付孔７を塞いで設けられる。そして、操作盤取付板５９に更新かご操作盤５０が装着される。
【００７１】
したがって、詳細な説明を省略するが図２９の実施の形態においても図７の実施の形態、図２２〜図２８の実施の形態と同様な作用が得られる。また、図２９の実施の形態において、横断面において凸状に湾曲した曲面に更新かご操作盤５０が装着される。このため、更新かご操作盤５０の操作ボタンの操作を容易化する作用が得られる。
【００７２】
実施の形態１６．
図３０も、この発明の他の実施の形態の一例を示す図で、前述の図７相当図である。なお、図３０の他は前述の図１及び図２と同様にエレベーターのかご室が構成されている。図において、図７と同符号は相当部分を示し、６０は旧取付孔７を覆って設けられた操作盤取付板である。
【００７３】
そして、操作盤取付板６０は幅方向の出入口柱５側の縁部が締結具１１によって壁板６に締結され、反出入口柱５側は横断面において壁板６の表面位置からかご室内側へ突出した傾斜姿勢に配置されて突出部を形成し、かつ横断面において凹状に湾曲した形状に製作されて反出入口柱５側の屈折部が周壁３に締結具２７によって締結されている。
【００７４】
上記のように構成されたエレベーターのかご室においても、横断面において傾斜姿勢に配置されて壁板６の表面位置からかご室内側へ突出した突出部を構成した操作盤取付板６０が旧取付孔７を塞いで設けられる。そして、操作盤取付板６０に更新かご操作盤５０が装着される。
【００７５】
したがって、詳細な説明を省略するが図３０の実施の形態においても図７の実施の形態、図２２〜図２８の実施の形態と同様な作用が得られる。また、図３０の実施の形態において、横断面において凹状に湾曲した曲面に更新かご操作盤５０が装着される。このため、更新かご操作盤５０の文字や操作ボタンが、操作者を中心として構成された凹曲面に配置されるので操作を容易化する作用が得られる。
【００７６】
【発明の効果】
この発明は以上説明したように、かご室の周壁の要部を形成し、旧かご操作盤用の旧取付孔が設けられた壁板と、この壁板の旧かご操作盤位置に対応した位置に配置される更新かご操作盤と、壁板の旧取付孔を覆って配置されて壁板の表面位置からかご室内側へ突出した突出部が形成され、旧取付孔よりも小さい更新かご操作盤用の新取付孔が設けられた操作盤取付板とを設けたものである。
【００７７】
これによって、旧かご操作盤を更新かご操作盤に取り替えるために壁板に操作盤取付板が付加されて、操作盤取付板に更新かご操作盤が装着される。そして、操作盤取付板には壁板の表面位置からかご室内側へ突出して形成された突出部が設けられる。これにより、操作盤取付板における造形的表現を多様化することができて見栄えを向上する効果がある。また、突出部が形成されるので操作盤取付板の強度を増すことができ、操作盤取付板の取付を簡易化してかご室の製作費を節減する効果がある。
【００７８】
また、この発明は以上説明したように、横断面において壁板の表面位置からかご室内側へ突出した傾斜姿勢に配置されて突出部を形成した操作盤取付板を設けたものである。
【００７９】
これによって、旧かご操作盤を更新かご操作盤に取り替えるために壁板に操作盤取付板が付加されて、操作盤取付板に更新かご操作盤が装着される。そして、操作盤取付板が横断面において壁板の表面位置からかご室内側へ突出した傾斜姿勢に配置されて突出部が形成される。これにより、操作盤取付板における造形的表現を多様化することができて見栄えを向上する効果がある。また、突出部が形成されるので操作盤取付板の強度を増すことができ、操作盤取付板の取付を簡易化してかご室の製作費を節減する効果がある。
【００８０】
また、この発明は以上説明したように、操作盤取付板を壁板に締結した締結具の頭部を覆って装着された目地材を設けたものである。
【００８１】
これによって、旧かご操作盤を更新かご操作盤に取り替えるために壁板に操作盤取付板が付加されて、操作盤取付板に更新かご操作盤が装着される。そして、操作盤取付板には壁板の表面位置からかご室内側へ突出して形成された突出部が設けられる。これにより、操作盤取付板における造形的表現を多様化することができて見栄えを向上する効果がある。また、突出部が形成されるので操作盤取付板の強度を増すことができ、操作盤取付板の取付を簡易化してかご室の製作費を節減する効果がある。
【００８２】
また、この発明は以上説明したように、軟質材からなる表板と、複数個のケース体が相互にピンを介して枢着されて表板の裏面に設けられたケースとからなり、操作盤取付板の湾曲面に沿う形状に変形する更新かご操作盤を設けたものである。
【００８３】
これによって、旧かご操作盤を更新かご操作盤に取り替えるために壁板に操作盤取付板が付加されて、操作盤取付板に更新かご操作盤が装着される。そして、操作盤取付板には壁板の表面位置からかご室内側へ突出して形成された突出部が設けられる。これにより、操作盤取付板における造形的表現を多様化することができて見栄えを向上する効果がある。また、突出部が形成されるので操作盤取付板の強度を増すことができ、操作盤取付板の取付を簡易化してかご室の製作費を節減する効果がある。
【００８４】
また、この発明は以上説明したように、上下方向における中間部が凹状に湾曲して形成されて上下端に突出部を形成した操作盤取付板を設けたものである。
【００８５】
これによって、旧かご操作盤を更新かご操作盤に取り替えるために壁板に操作盤取付板が付加されて、操作盤取付板に更新かご操作盤が装着される。そして、上下方向における中間部が凹状に湾曲した操作盤取付板に壁板の表面位置からかご室内側へ突出して形成された突出部が設けられる。これにより、操作盤取付板における造形的表現を多様化することができて見栄えを向上する効果がある。また、突出部が形成されるので操作盤取付板の強度を増すことができ、操作盤取付板の取付を簡易化してかご室の製作費を節減する効果がある。
【００８６】
また、この発明は以上説明したように、横断面において壁板の表面位置からかご室内側へ突出した傾斜姿勢に配置されて突出部を形成すると共に、横断面において凸状に湾曲した形状に製作された操作盤取付板を設けたものである。
【００８７】
これによって、旧かご操作盤を更新かご操作盤に取り替えるために壁板に操作盤取付板が付加されて、操作盤取付板に更新かご操作盤が装着される。そして、上下方向における中間部が凹状に湾曲した操作盤取付板に壁板の表面位置からかご室内側へ突出して形成された突出部が設けられる。これにより、操作盤取付板における造形的表現を多様化することができて見栄えを向上する効果がある。また、突出部が形成されるので操作盤取付板の強度を増すことができ、操作盤取付板の取付を簡易化してかご室の製作費を節減する効果がある。
【００８８】
また、この発明は以上説明したように、横断面において壁板の表面位置からかご室内側へ突出した傾斜姿勢に配置されて突出部を形成すると共に、横断面において凹状に湾曲した形状に製作された操作盤取付板を設けたものである。
【００８９】
これによって、旧かご操作盤を更新かご操作盤に取り替えるために壁板に操作盤取付板が付加されて、操作盤取付板に更新かご操作盤が装着される。そして、上下方向における中間部が凹状に湾曲した操作盤取付板に壁板の表面位置からかご室内側へ突出して形成された突出部が設けられる。これにより、操作盤取付板における造形的表現を多様化することができて見栄えを向上する効果がある。また、突出部が形成されるので操作盤取付板の強度を増すことができ、操作盤取付板の取付を簡易化してかご室の製作費を節減する効果がある。
【図面の簡単な説明】
【図１】この発明の実施の形態１を示す図で、かご室内の要部斜視図。
【図２】図１の要部横断面平面図。
【図３】この発明の実施の形態２を示す図で、前述の図２相当図。
【図４】この発明の実施の形態３を示す図で、前述の図２相当図。
【図５】この発明の実施の形態４を示す図で、前述の図２相当図。
【図６】この発明の実施の形態５を示す図で、前述の図２相当図。
【図７】この発明の実施の形態６を示す図で、前述の図２相当図。
【図８】この発明の実施の形態７を示す図で、前述の図７相当図。
【図９】この発明の実施の形態８を示す図で、前述の図８相当図。
【図１０】この発明の実施の形態９を示す図で、前述の図４相当図。
【図１１】図１０の要部拡大図。
【図１２】この発明の実施の形態１０を示す図で、前述の図４相当図。
【図１３】図１２の要部拡大図。
【図１４】この発明の実施の形態１１を示す図で、前述の図２相当図。
【図１５】図１４の要部拡大図。
【図１６】図１５の部材を分解して示す図。
【図１７】この発明の実施の形態１２を示す図であり、前述の図１４相当図。
【図１８】図１７の要部拡大図。
【図１９】図１７の部材を分解して示す図。
【図２０】この発明の実施の形態１３を示す図で、前述の図７相当図。
【図２１】図２０の要部拡大図。
【図２２】この発明の実施の形態１４を示す図であり、かご室内の要部斜視図。
【図２３】図２２のかご室に設けられた更新かご操作盤の正面図。
【図２４】図２３の平面図。
【図２５】図２３の側面図。
【図２６】図２３の更新かご操作盤の操作盤取付板への装着状況を示す図で前述の２５相当図。
【図２７】図２６の平面図であり更新かご操作盤が横断面において凹状に湾曲した状態を示す図。
【図２８】図２６の平面図であり更新かご操作盤が横断面において凸状に湾曲した状態を示す図。
【図２９】この発明の実施の形態１５を示す図で、前述の図７相当図。
【図３０】この発明の実施の形態１６を示す図で、前述の図７相当図。
【図３１】従来のエレベーターのかご室を示す図で、かご室内の要部斜視図。
【図３２】図３１の要部横断面平面図。
【符号の説明】
３　周壁、　　６　壁板、　　７　旧取付孔、　　１０　新取付孔、　　１２更新かご操作盤、　　１５　操作盤取付板、　　１６　突出部、　　２６　操作盤取付板、　　３３　締結具、　　３４　目地材、　　３８　目地材、　　４９　操作盤取付板、　　４９１　突出部、　　５０　更新かご操作盤、　　５１表板、　　５２　ケース、　　５３　ケース体、　　５９　操作盤取付板、
６０　操作盤取付板。
【図１】
2004067334.tif 000003
【図２】
2004067334.tif 000004
【図３】
2004067334.tif 000005
【図４】
2004067334.tif 000006
【図５】
2004067334.tif 000007
【図６】
2004067334.tif 000008
【図７】
2004067334.tif 000009
【図８】
2004067334.tif 000010
【図９】
2004067334.tif 000011
【図１０】
2004067334.tif 000012
【図１１】
2004067334.tif 000013
【図１２】
2004067334.tif 000014
【図１３】
2004067334.tif 000015
【図１４】
2004067334.tif 000016
【図１５】
2004067334.tif 000017
【図１６】
2004067334.tif 000018
【図１７】
2004067334.tif 000019
【図１８】
2004067334.tif 000020
【図１９】
2004067334.tif 000021
【図２０】
2004067334.tif 000022
【図２１】
2004067334.tif 000023
【図２２】
2004067334.tif 000024
【図２３】
2004067334.tif 000025
【図２４】
2004067334.tif 000026
【図２５】
2004067334.tif 000027
【図２６】
2004067334.tif 000028
【図２７】
2004067334.tif 000029
【図２８】
2004067334.tif 000030
【図２９】
2004067334.tif 000031
【図３０】
2004067334.tif 000032
【図３１】
2004067334.tif 000033
【図３２】
2004067334.tif 000034